(57)【要約】【課題】部品の共通化を行うことで製造時のコストダウンを有効に行う。【解決手段】支持枠２０を、交換可能枠２１と支持枠本体２２とから構成する。交換可能枠２１の前面には複数のリブ２５が立設されており、これらリブ２５の間の隙間２６が球通路となる。パチンコ機の製造時には、支持枠本体２２に、遊技盤の構成に応じた交換可能枠２１又は５０のいずれかを組み付けることで、遊技盤に対応した支持枠２０となる。なお、支持枠本体２２は遊技盤の構成に関係ない一定の形状となるから、支持枠本体２２を共通部品として使用することが可能となる。【選択図】        図３
2004329446.tif 000002
【特許請求の範囲】
【請求項１】
遊技の際の遊技媒体を受け入れ得る開口部が少なくとも設けられるとともに、遊技構成部品の実装を行う支持部材が組み付けられた遊技盤を備えた弾球遊技機において、
前記支持部材は、前記遊技盤に組み付ける部材と、前記開口部にて受け入れた遊技媒体を流動させる通路を備えた部材とを含む複数の部材を、所定の固定部材によって１つの部材として組み合わせた構成からなることを特徴とする弾球遊技機。
【請求項２】
前記通路を備えた部材は、遊技構成に合わせて選択し得る部材であることを特徴とする請求項１記載の弾球遊技機。
【請求項３】
前記通路を備えた部材は、前記遊技構成部品を組み付ける保持部を備えていることを特徴とする請求項１又は２記載の弾球遊技機。
【発明の詳細な説明】
【０００１】
【発明の属する技術分野】
本発明は、パチンコ店等の遊技場に設置して使用されるパチンコ機等の弾球遊技機に関するものである。
【０００２】
【従来の技術】
遊技場に設置される遊技機の一つとしてパチンコ機を含む弾球遊技機が挙げられる。このパチンコ機にはパチンコ球等の遊技媒体が打ち出される遊技領域が形成された遊技盤が取付け部となる本体枠内に配設され、その遊技盤の前面を窓部を有する開閉自在な前面枠により被覆される構成となっている。遊技盤面には、遊技領域を規定又は遊技媒体を誘導するためのレールが取り付けられるとともに、遊技領域内には障害釘や風車等の他に、電動チューリップや入賞チャッカ、アタッカ等の入賞装置が配設されている。
【０００３】
このような遊技領域に対して反対側となる遊技盤の後面には、入賞チャッカやアタッカ等の入賞口に入ったパチンコ球を、所定の受け部へとガイドする誘導リブ等の誘導部材により形成された所謂球通路を有する板状等の支持部材が所定の固定部材を介して組み付けられる。なお、この支持部材には、パチンコ機を制御するための主制御回路基板（装置）、ランプ制御回路基板（装置）及び音声制御回路基板（装置）等の制御回路基板の他に、例えば図柄等の識別情報を変動表示させた後に停止表示するための図柄表示装置である液晶表示（ＬＣＤ）パネル等が組み付けられる。これにより、遊技盤を取り外した場合には、上記支持部材を同時に本体枠側に設けられた遊技盤取付け部から取り外すことができるので、組み付けの際の作業性を向上させることが可能となる。
【０００４】
【発明が解決しようとする課題】
しかしながら、上記遊技盤は遊技機の機種毎に異なる遊技盤又は遊技制御等に応じた遊技構成となることから専用の支持部材を製造するようになっており、例えば前記球通路や制御回路基板等の配置が異なる場合には新しい機種に対応する形状となる支持部材を製造する必要がある。このため、遊技盤に組み付けられる支持部材の所定部分の形状変更に関係なく使用できる部分、所謂共通化できる部分をも新しく製造するため、共通化を効率的に行うことができないという他に、パチンコ機の製造時のコストダウンを効率的に行うことができないという問題がある。
【０００５】
本発明は、部品の共通化を行うことで、製造時のコストダウンを効率的に行うことができるようにした弾球遊技機を提供することを目的とする。
【０００６】
【課題を解決するための手段】
上記目的を達成するために、本発明の弾球遊技機は、遊技の際の遊技媒体を受け入れ得る開口部が少なくとも設けられるとともに、遊技構成部品の実装を行う支持部材が組み付けられた遊技盤を備えたものであり、前記支持部材は、前記遊技盤に組み付ける部材と、前記開口部にて受け入れた遊技媒体を流動させる通路を備えた部材とを含む複数の部材を、所定の固定部材によって１つの部材として組み合わせた構成からなるものである。なお、開口部は、例えば始動入賞口、通常入賞口及びアウト口等が挙げられる。また、遊技構成部品とは、遊技の際に作動する装置の作動制御を行うための制御回路装置や、識別情報の変動表示及び停止表示を行うための図柄表示装置、ランプ装置、音声装置、或いは開口部にて受け入れた遊技媒体を流動させるための通路部材等を含むものとする。また、所定の固定部材とは、接着剤、ネジ等の締結部材、嵌合によって保持状態とする接続機構を含むものとする。
【０００７】
また、前記通路を備えた部材は、遊技構成に合わせて選択し得る部材であることが好ましい。なお、遊技構成とは、遊技盤面に設けられる入賞口等の配置位置や、遊技の際に作動する装置の作動制御を行うための制御回路装置や、識別情報の変動表示及び停止表示を行うための図柄表示装置、ランプ装置、音声装置等の配置構成等が挙げられる。また、前記通路を備えた部材は、前記遊技構成部品を組み付ける保持部を備えていることが好ましい。
【０００８】
【発明の実施の形態】
図１に本発明を用いたパチンコ機の外観を示す。パチンコ機２の本体枠３の前面には前面枠５が、側方に設けられたヒンジ部（図示せず）を介して開閉自在に設けられている。この前面枠５の中央には開口５ａが形成されており、この開口５ａは前面枠５の裏側に取り付けられるガラス枠６（図２参照）のガラス板７により遮蔽されている。前面枠５の下方には、パチンコ球（遊技媒体）供給用の供給皿８及びパチンコ球の打ち出し強さを調節する操作ハンドル９が設けられている。遊技者が供給皿８にパチンコ球を投入（貯留）すると、皿内部に設けられた通路によりパチンコ球は発射装置へと誘導される。そして、操作ハンドル９を操作して遊技盤４上にパチンコ球を打ち出す。なお、前面枠５が閉じている場合には、遊技者や遊技場の作業者等は、前面枠５の裏側に取り付けられたガラス板７を介して遊技盤４の遊技領域４ａ（図２参照）及び遊技領域４ａ上を流下していくパチンコ球を視認するようになっている。
【０００９】
図２に示すように、遊技盤４は、本体枠３側にある遊技盤取付け部３ａに係止部材又は嵌合部材等によって取り付けられる。この遊技盤４の前面にはガイドレール１０及びレール飾り１１によって囲まれた遊技領域４ａが形成されている。この遊技領域４ａには、始動入賞口１２、通常入賞口１３、アタッカ１４等のパチンコ球を受け入れて入賞状態とする入賞口及びアウト口１５が、開口部として配設されている。また、遊技領域４ａには、図示を省略した釘、風車などが設けられている。これらの構造物は公知であるので説明は省略する。
【００１０】
図３及び図４に示すように、遊技盤４の遊技領域４ａが形成されていない後面には支持部材となる支持枠２０がビス２３等により固定される。この支持枠２０は、複数の部材から構成される。なお、以下では、支持枠２０を、交換可能枠２１と支持枠本体２２との２種類の組合せ部材から構成された場合についての説明を行うものとする。なお、交換可能枠２１は支持枠本体２２と係合状態とした後にビス２４等の固定部材により頑強に組み付けるようにすると、耐久性が向上するので好適である。
【００１１】
交換可能枠２１は、その前面に複数のリブ２５が形成されており、これらリブ２５の間の隙間２６が上記入賞口に入賞したパチンコ球を所定の受け部へと誘導する所謂球通路となる。なお、これら複数のリブ２５は、遊技盤４に設けられた入賞口の位置に合うように設けられた交換可能枠２１に配設されている。この交換可能枠２１の後面には、主制御回路基板と他の制御基板とを電気的に接続するための中継基板３５、３６や所定の制御基板等（図５参照）を組み付けるための組付け部２７が形成される。なお、本実施形態における組付け部は回路基板を収納する収納ケースを保持可能な係止状態又は嵌着状態などとする接続機構も含む。
【００１２】
支持枠本体２２は、遊技盤４に組み付けられ、その後面に、主制御回路基板等の回路基板が収納された収納ケースが複数組み付けられる（図５参照）。なお、上記収納ケースうち、収納ケース４５は、支持枠本体２２と、交換可能枠２１とに跨って組み付けられる（図５参照）。この支持体本体２２は、遊技盤４の構成に係わらず同一構成として使用可能となっている。この支持枠本体２２には、上述したように、遊技盤４に設けられた入賞口の配置位置に合わせたリブ２５及び組付け部２７を有する交換可能枠２１が組み付けられる。また、この支持枠本体２２の上部及び下部には、遊技盤４の後面に取り付けるための組付け部２２ａ〜２２ｃが形成される。
【００１３】
次に、本実施形態の作用について説明する。まず、交換可能枠２１又は交換可能枠５０のうち、支持枠本体２２と遊技盤４の入賞口に合わせたリブ２５及び組付け部２７を有する交換可能枠を選択し、その交換可能枠を支持枠本体２２にビス２４等の固定部材を用いて組付け固定し、支持枠２０を組み立てる。図５に示すように、支持枠２０を遊技盤４の後面にビス２３等を用いて組み付け固定した後に、中継基板３５、３６をビス等により組み付ける。そして、音声回路基板、ランプ回路基板、ＬＣＤ回路基板がそれぞれ収納された収納ケース３７〜３９を支持枠２０を構成する支持枠本体２２に設けられた組付け部２２ｄ〜２２ｆに組み付けた後に、主制御回路基板が収納された収納ケース４０を支持枠２０に組み付けられた収納ケースに対して組み付ける。このようにして各種部品が組み付けられた遊技盤４を、発射装置、払い出し装置等が組み込まれた本体枠３の遊技盤取付け部３ａに組み込むことで、パチンコ機２が完成する。なお、本実施形態においては、符号４５の収納ケースが主制御基板を収納した収納ケース４０を保持するためのブラケットとなる。
【００１４】
例えば、遊技場に配設されたパチンコ機２の全体或いは遊技盤４の交換を行った場合には、遊技場から取り外されたパチンコ機２又は遊技盤４は工場等に搬送され分解される。例えばパチンコ機２の全体を交換した場合、遊技盤４を本体枠３から取り外して解体作業を行った場合に、支持枠２０はビス等の固定部材の解除を行った後に遊技盤４から取り外され、交換可能枠２１と支持枠本体２２とに分解される。支持枠本体２２は遊技盤４の入賞口の配置位置に関係なく遊技盤４に組み付けられる部材であるので、支持枠本体２２に傷や劣化等が生じていなければ、新しい機種の組み立ての際に再利用可能となる。この際、新しい機種の遊技盤４の入賞口の配置位置が異なる場合には新しい機種に対応した交換可能枠５０を支持体本体２２とを組み付けた後に遊技盤４の後面に固定部材にて組み付けられる（図３参照）。これにより、支持体本体２２が非交換となる共通部品として使用できるので、パチンコ機２の製造コストを抑制することができる。
【００１５】
本実施形態では、遊技盤に組み付ける支持部材を、支持枠本体と交換可能枠との２種類の部材から構成したが、これに限定する必要はなく、２つ以上の部材の組合せ構成からなる支持枠を構成してもよい。この場合、図６に示すように、支持部材５２を、遊技盤へ組付ける部材５３，５４，５５と、図柄表示装置、音声制御回路装置等が収納された収納ケースが組み付けられる部材５６と、図示はしないが複数のリブが形成することにより球通路を有する部材５７とから構成する。なお、部材５３は部材５６，５７の上部に組み合わせた後に、ビス５８等により固定される。また、部材５４，５５は、部材５７の下部に組み合わせた後に、ビス５８等により固定される。これにより、部材５３〜５７を組み合わせることで、支持部材５２が完成する。この場合も、本実施形態と同様に、遊技構成によって部材５６，５７は選択可能となる。なお、収納ケースを組み付ける場所は、符号に示す箇所、中継基板を組み付ける箇所は符号に示す箇所となる。
【００１６】
また、本実施形態では、交換可能枠を、その前面に複数のリブを設け、これらリブにより球通路を備えるとともに、その後面に組付け部を設けた形態としたが、これに限定する必要はなく、各制御回路基板や収納ケース等を組み付ける部材、又は複数のリブのいずれか一方を設けた部材としてよい。このような形態を有する場合には、制御回路基板や収納ケース等の組付け位置、又は入賞口の配置位のいずれかが異なる場合に対応することができ、製造時のコストを抑制するには有効となる。
【００１７】
本実施形態では、交換可能枠２１に中継基板３５，３６を組み付ける場合に、ビス等の固定部材を用いて固定する場合を説明したが、これに限定する必要はなく、適宜の方法で組み付けることが可能である。例えば、図７に示すように、交換可能枠６０の後面に、中継基板６１を取り付けるための取付枠６２を設ける。この取付枠６２の縁部には、中継基板６１の端部を支持するための当接片６３及び係止突起６５が設けられる。また、当接片６３及び係止突起６５と対向する取付枠６２の縁部に係止爪６４とリブ６２ａが設けられる。中継基板６１を交換可能枠６０に組み付ける場合には、まず、中継基板６１の下端部を当接片６３と係止突起６５との間の隙間６６に挿入し、中継基板６１の上端部を図中矢印Ｘ方向に向けて押す。この際、中継基板６１の上端縁が係止爪６４に当接した後に、係止爪６４が図中Ｙ方向に撓み、係止爪６４とリブ６２ａによって中継基板６１の上端縁が挟持される。これにより、中継基板６１が交換可能枠６０に組み付けられる。なお、この場合、係止爪６４及びリブ６２ａ、当接片６３及び係止突起６５が保持部として機能する。
【００１８】
【発明の効果】
以上のように、本発明の弾球遊技機によれば、支持部材は、前記遊技盤に組み付ける部材と、前記開口部にて受け入れた遊技媒体を流動させる通路を備えた部材とを含む複数の部材を、所定の固定部材によって１つの部材として組み合わせた構成としたから、遊技盤に設けられた開口部又は制御回路基板や収納ケース等の遊技構成部品の配置構成が変わっても、支持部材を構成する部材の一部を変えるのみで対応できるので、効率的なコストダウンを行うことができるとともに、支持部材を構成する部材を必要に応じて共通化及びリサイクル化を図ることができる。
【図面の簡単な説明】
【図１】本発明を実施したパチンコ機の外観を示す斜視図である。
【図２】本体枠と遊技盤ユニットとを分解して示す斜視図である。
【図３】遊技盤ユニットを分解して示す斜視図である。
【図４】支持枠の構成を分解して示す斜視図である。
【図５】支持枠の後面を示す斜視図である。
【図６】２個以上の部材を組み合わせることで支持部材を構成した場合の、支持部材の構成を分解して示す斜視図である。
【図７】交換可能枠に、中継基板を保持するための保持部を設けた場合の断面図である。
【符号の説明】
２  パチンコ機
３  本体枠
４  遊技盤
２０，５２  支持枠
２１，５０  交換可能枠
２２  支持枠本体
２４  ビス
２５  ボス
【図１】
2004329446.tif 000003
【図２】
2004329446.tif 000004
【図３】
2004329446.tif 000005
【図４】
2004329446.tif 000006
【図５】
2004329446.tif 000007
【図６】
2004329446.tif 000008
【図７】
2004329446.tif 000009